(57)【特許請求の範囲】
【請求項１】
ランプを負荷として備える照明器具と、照明器具とは別体であってランプの点灯状態をワイヤレス信号によって指示するコントローラとを備える照明装置であって、少なくともコントローラに設けられ送信データを含むワイヤレス信号を伝送する送信手段と、少なくとも照明器具に設けられ送信手段からのワイヤレス信号を受信して送信データの内容に相当する受信データを復元し受信データの内容に応じて負荷を制御する受信手段とを備え、送信手段では、受信手段において異なる情報を含む複数のワイヤレス信号の少なくとも一部が重なり合っていてもいずれか１つのワイヤレス信号から受信データが復元可能となるようにワイヤレス信号の信号形態の種類が設定され、この信号形態は複数種類の異なる信号形態からワイヤレス信号の情報の内容に対応付けて選択されることを特徴とする照明装置。
【請求項２】
前記ワイヤレス信号を固定長とし、ワイヤレス信号の信号形態の種類を同内容のワイヤレス信号の送信回数とし、前記受信データを復元させる優先度の高い情報ほど送信回数を多く設定することを特徴とする請求項１記載の照明装置。
【請求項３】
前記ワイヤレス信号の信号形態の種類をワイヤレス信号の送信強度とし、前記受信データを復元させる優先度の高い情報ほど送信強度を大きく設定することを特徴とする請求項１記載の照明装置。
【請求項４】
前記ワイヤレス信号の信号形態の種類をワイヤレス信号の信号長とし、前記受信手段ではワイヤレス信号の信号長を判別することにより送信データの内容を推定することを特徴とする請求項１記載の照明装置。
【請求項５】
前記ワイヤレス信号の信号形態の種類を同内容のワイヤレス信号の送信回数とし、前記受信手段では規定の時間内におけるワイヤレス信号の受信回数を判別することにより送信データの内容を推定することを特徴とする請求項１記載の照明装置。
【請求項６】
前記ワイヤレス信号の信号形態の種類を同内容のワイヤレス信号の送信回数とワイヤレス信号の送信強度との組合せとし、前記受信データを復元させる優先度の高い情報ほど送信強度を大きく設定するとともに送信回数を多く設定することを特徴とする請求項１記載の照明装置。
【請求項７】
前記コントローラに、規定した範囲内での人の存否を検出する人感センサを設け、人感センサによる人の検知を送信データとしてコントローラから前記ワイヤレス信号を送信することを特徴とする請求項１ないし請求項６のいずれか１項に記載の照明装置。
【請求項８】
前記コントローラに、周囲の明るさを検出する明るさセンサを設け、明るさセンサにより検知される明るさの情報を送信データとしてコントローラから前記ワイヤレス信号を送信することを特徴とする請求項１ないし請求項６のいずれか１項に記載の照明装置。
【請求項９】
前記コントローラに、規定した範囲内での人の存否を検出する人感センサと周囲の明るさを検出する明るさセンサとを設け、人感センサによる人の検知と明るさセンサにより検知される明るさの情報とを送信データとしてコントローラから前記ワイヤレス信号を送信することを特徴とする請求項１ないし請求項６のいずれか１項に記載の照明装置。
【発明の詳細な説明】
【０００１】
【発明の属する技術分野】
本発明は、ランプを備える照明器具に対してワイヤレス信号を伝送することによりランプの点灯状態を制御する照明装置に関するものである。
【０００２】
【従来の技術】
一般に、ランプを備える照明器具を天井などに取り付け、照明器具とは別に設けたリモコン装置を用いてランプの点灯状態を制御するようにした照明装置が広く普及している。
【０００３】
一方、照明装置として、図１６に示すように、照明器具１に付設した人感センサ１１によって照明器具１の周辺での人の存否を検出し、たとえば人が規定した空間上の範囲内に存在する間にランプ１０を点灯させるように構成した照明装置も知られている。また、一般にランプ１０は周囲が暗いときに点灯させるから、明るさセンサ１２を照明器具１に付設し、周囲が暗いときにランプ１０を点灯させるようにした照明装置も提供されている。図示例では人感センサ１１と明るさセンサ１２との両方を備えるものを例示してあり、人感センサ１１および明るさセンサ１２の出力はマイコンからなる検知部１３に入力され、人感センサ１１の出力に基づいて規定した範囲内における人の存否が判断されるとともに、明るさセンサ１２の出力に基づいて周囲の明るさが判断される。つまり、検知部１３では人の存否と明るさとの組合せによってランプ１０の点灯状態を決定する。ここに、ランプ１０の点灯状態とは、点灯・消灯のほか光量切換（ランプ１０の光出力を変化させる調光点灯のほか、複数灯を備える照明器具１では点灯灯数を切り換える場合もある）やフェードイン・フェードアウトなどを意味する。検知部１３による判断結果はランプ１０を点灯させる点灯装置１４に入力され、点灯装置１４においてランプ１０の点灯状態が制御される。点灯装置１４としてはインバータ回路を含む電子バラストが広く採用されており、この種の点灯装置１４においてランプ１０の光出力を変化させる制御を行う場合には、たとえば、電子バラストに含まれるスイッチング素子のオンオフの期間をＰＷＭ制御方式で制御する構成が採用される。
【０００４】
この種の照明器具１では、人感センサ１１の出力および明るさセンサ１２の出力を検知部１３においてどのように判断し、また検知部１３が点灯装置１４をどのように制御するかに応じて、人感センサ１１および明るさセンサ１２の出力に対応付けてランプ１０の点灯状態を制御することができる。たとえば、周囲が暗くかつ規定した範囲内に人が存在する間にランプ１０を点灯させるように人感センサ１１と明るさセンサ１２との出力を組み合わせて用いるものがある。また、人感センサ１１を用いずに明るさセンサ１２のみを設け、周囲が明るいときにはランプ１０を消灯し、周囲が暗いときにはランプ１０を点灯させるように制御することもある。このように、人の存否や明るさに応じてランプ１０の点灯状態を自動的に制御することが可能になった照明装置が知られている。
【０００５】
しかしながら、上述した従来の照明装置では、照明器具１に人感センサ１１や明るさセンサ１２が付設されているものであるから、照明器具１の近傍においてしか人の存否や周囲の明るさを判断することができない。たとえば、比較的広い室内に照明器具１を配置している場合には、照明器具１に付設した人感センサ１１だけでは室内の全域を監視することができないことがある。また、明るさセンサ１２では照明器具１の近傍の明るさしか検出することができないから、必ずしも照明が必要な箇所の明るさに応じてランプ１０の点灯状態を制御することにならないという問題もある。
【０００６】
この種の問題を解決するために、図１７に示すように、照明器具１とは別体であって照明器具１に対してワイヤレス信号を伝送することが可能なコントローラ２を設け、コントローラ２に人感センサ２１などを設けることが考えられている。ワイヤレス信号としては電波や光（一般に赤外線）が用いられる。ただし、図示例ではワイヤレス信号として電波を用いている。すなわち、コントローラ２は、人感センサ２１のほか、人感センサ２１の出力に基づいて送信データを生成するマイコンからなる検知部２３と、検知部２３から出力された送信データにより搬送波を変調するとともに増幅する送信回路２６とを備え、送信回路２６の出力がアンテナ２５を通してワイヤレス信号（無線信号）として送出されるように構成されている。
【０００７】
一方、照明器具１はワイヤレス信号を受信するためのアンテナ１５を備えるとともに、ワイヤレス信号から受信データを復調する受信回路１６を備え、受信回路１６から出力された受信データを検知部１３に入力することによって図１６に示した構成と同様に機能するように構成されている。つまり、検知部１３には人感センサ１１や明るさセンサ１２からの出力に代えて、受信回路１６からの受信データが入力されるのである。言い換えると、図１６に示した構成の検知部１３の機能を、照明器具１の検知部１３ととコントローラ２の検知部２３とに分割し、検知部２３から検知部１３にデータを伝送する経路として無線伝送路を用いた構成になる。
【０００８】
このように、人感センサ２１や明るさセンサを備えるコントローラ２を照明器具１とは別体に設け、しかもコントローラ２から照明器具１に対してワイヤレス信号を伝送するから、照明器具１とコントローラ２との間は結線が不要であって、照明器具１がコントローラ２からのワイヤレス信号を受信することができる範囲内において、人感センサ２１や明るさセンサを任意の場所に設けることが可能になる。また、コントローラ２の台数にはとくに制限がないから、照明器具１の台数にかかわらず所望個数の人感センサ２１や明るさセンサを設けることが可能になる。
【０００９】
たとえば、階段に設置される照明器具１であれば、図１８に示すように、３台のコントローラ２（２ａ〜２ｃ）を設け、２台のコントローラ２ａ，２ｂには人感センサ２１を設け、残りの１台のコントローラ２ｃには明るさセンサ２２を設けるとよい。この構成において、コントローラ２ａは階上に設置され、コントローラ２ｂは階下に設置され、コントローラ２ｃは適宜箇所に設置されることになる。コントローラ２ａ〜２ｃをこのように配置することによって、階段を人が下りる場合と上がる場合とについてそれぞれコントローラ２ａ，２ｂが人を検知することになり、階段での人の上り下りのいずれに対してもランプ１０を自動的に点灯させ、階段付近に人が存在しなければランプ１０を消灯させて省エネルギを実現するという動作が可能になる。また、明るさセンサ２２を備えるコントローラ２ｃは適宜箇所に設置されるから、照明器具１の周辺の明るさではなく、照明器具１から離れた窓際の明るさや屋外の明るさに応じてランプ１０の点灯状態を制御することが可能になる。
【００１０】
【発明が解決しようとする課題】
しかしながら、上述したように照明器具１にワイヤレス信号を伝送することによってランプ１０の点灯状態を制御する構成において複数台のコントローラ２を設置したとすると、複数台のコントローラ２からのワイヤレス信号が重なり合う場合が生じる。図１９（ａ）（ｂ）は２台のコントローラ２でそれぞれ発生した送信データを示しており（送信データの発生期間はワイヤレス信号の発生期間に対応する）、図示例のように両コントローラ２において送信データが発生している期間が重なり合っていると、図１９（ｃ）のように照明器具１において復調された受信データの一部は復元不可能になる。いま、上述した例のように、階上と階下とにコントローラ２を設置しているとすれば、階段を上がる人と下りる人とが各コントローラ２の人感センサ２１により略同時に検知されることがあり、このような場合には、２台のコントローラ２からのワイヤレス信号の衝突によって照明器具１では受信データを正常に復元することができず、結果的にランプ１０を点灯させるように制御することができないという問題が生じる。
【００１１】
本発明は上記事由に鑑みて為されたものであり、その目的は、複数のワイヤレス信号が衝突する場合であっても少なくとも１つのワイヤレス信号の内容は復元することを可能とした照明装置を提供することにある。
【００１２】
【課題を解決するための手段】
請求項１の発明は、ランプを負荷として備える照明器具と、照明器具とは別体であってランプの点灯状態をワイヤレス信号によって指示するコントローラとを備える照明装置であって、少なくともコントローラに設けられ送信データを含むワイヤレス信号を伝送する送信手段と、少なくとも照明器具に設けられ送信手段からのワイヤレス信号を受信して送信データの内容に相当する受信データを復元し受信データの内容に応じて負荷を制御する受信手段とを備え、送信手段では、受信手段において異なる情報を含む複数のワイヤレス信号の少なくとも一部が重なり合っていてもいずれか１つのワイヤレス信号から受信データが復元可能となるようにワイヤレス信号の信号形態の種類が設定され、この信号形態は複数種類の異なる信号形態からワイヤレス信号の情報の内容に対応付けて選択されることを特徴とする。
【００１３】
請求項２の発明は、請求項１の発明において、前記ワイヤレス信号を固定長とし、ワイヤレス信号の信号形態の種類を同内容のワイヤレス信号の送信回数とし、前記受信データを復元させる優先度の高い情報ほど送信回数を多く設定することを特徴とする。
【００１４】
請求項３の発明は、請求項１の発明において、前記ワイヤレス信号の信号形態の種類をワイヤレス信号の送信強度とし、前記受信データを復元させる優先度の高い情報ほど送信強度を大きく設定することを特徴とする。
【００１５】
請求項４の発明は、請求項１の発明において、前記ワイヤレス信号の信号形態の種類をワイヤレス信号の信号長とし、前記受信手段ではワイヤレス信号の信号長を判別することにより送信データの内容を推定することを特徴とする。
【００１６】
請求項５の発明は、請求項１の発明において、前記ワイヤレス信号の信号形態の種類を同内容のワイヤレス信号の送信回数とし、前記受信手段では規定の時間内におけるワイヤレス信号の受信回数を判別することにより送信データの内容を推定することを特徴とする。
【００１７】
請求項６の発明は、請求項１の発明において、前記ワイヤレス信号の信号形態の種類を同内容のワイヤレス信号の送信回数とワイヤレス信号の送信強度との組合せとし、前記受信データを復元させる優先度の高い情報ほど送信強度を大きく設定するとともに送信回数を多く設定することを特徴とする。
【００１８】
請求項７の発明は、請求項１ないし請求項６の発明において、前記コントローラに、規定した範囲内での人の存否を検出する人感センサを設け、人感センサによる人の検知を送信データとしてコントローラから前記ワイヤレス信号を送信することを特徴とする。
【００１９】
請求項８の発明は、請求項１ないし請求項６の発明において、前記コントローラに、周囲の明るさを検出する明るさセンサを設け、明るさセンサにより検知される明るさの情報を送信データとしてコントローラから前記ワイヤレス信号を送信することを特徴とする。
【００２０】
請求項９の発明は、請求項１ないし請求項６の発明において、前記コントローラに、規定した範囲内での人の存否を検出する人感センサと周囲の明るさを検出する明るさセンサとを設け、人感センサによる人の検知と明るさセンサにより検知される明るさの情報とを送信データとしてコントローラから前記ワイヤレス信号を送信することを特徴とする。
【００２１】
【発明の実施の形態】
本発明の実施形態において用いる照明器具１およびコントローラ２の具体構成について簡単に説明する。ワイヤレス信号には赤外線を用いることができるが、以下では電波を用いることを想定して説明する。
【００２２】
照明器具１は、図１５に示すように、ワイヤレス信号を受信するアンテナ１５を備え、アンテナ１５で受信したワイヤレス信号は受信手段としての受信回路１６に入力される。受信回路１６は、ワイヤレス信号を受信アンプ３１で増幅した後に、バンドパスフィルタである受信フィルタ３２で不要波を除去し、２段の混合回路３３，３４によって周波数変換がなされる。混合回路３３に対応する局部発振回路にはＰＬＬシンセサイザが採用されており、水晶発振器３５ａと集積回路からなるＰＬＬ回路３５ｂとループフィルタ３５ｃとＶＣＯ３５ｄとで局部発振回路が構成されている。また、混合回路３４に対応する局部発振回路は水晶発振器３６により構成されている。混合回路３３，３４により周波数変換された信号は集積回路からなる検波回路３７により復調され、さらにコンパレータ３８を通して波形整形されることにより送信データに対応した受信データが復元される。受信データはマイコンからなる検知部１３に入力され負荷であるランプ１０に給電する点灯回路１４の制御に用いられる。点灯回路１４としてはトライアック（３端子双方向性サイリスタ）を備えるものを想定している。点灯回路１４にトライアックを用いるとランプ１０の点灯状態として点灯・消灯のほか点滅点灯が可能であり、さらに位相制御を行えば調光点灯も可能である。ただし、点灯回路１４にはトライアックに代えてインバータ回路を備える電子バラストを用いてもよい。
【００２３】
一方、コントローラ２は、図１４に示すように、トリガを発生するトリガ手段２０を備える。トリガ手段２０は、たとえば人感センサや明るさセンサを備え、人感センサや明るさセンサの出力が規定した条件を満たしたときにトリガを発生するように構成されている。たとえば、人感センサであれば人が検知されるか人が検知されなくなるとトリガが発生し、明るさセンサであれば明るさセンサの出力が規定した値になるとトリガが発生するように構成される。トリガ手段２０としては人感センサや明るさセンサのほかに、手操作されるスイッチの操作時にトリガを発生するものや、タイマによる時限時間の終了時にトリガを発生するものなど、何らかの条件が満たされるとトリガを発生する構成であればどのようなものでも用いることが可能である。なお、明るさセンサを設ける場合にはトリガ手段２０に代えて明るさレベルを複数段階で出力する構成を採用してもよい。
【００２４】
トリガ手段２０はＭＰＵ２３ａおよびＲＯＭ２３ｂにより構成された検知部２３に接続されている。検知部２３のＭＰＵ２３ａではトリガ手段２０からのトリガが入力されると、ＲＯＭ２３ｂにあらかじめ格納されているデータを読み出して送信データを生成する。ここに、図示する検知部２３の構成は一例であり、トリガ手段から出力されたトリガを通過させる構成やトリガを波形整形する構成など各種の構成を用いることができる。また、送信データはデジタルかアナログかを問わない。検知部２３から出力された送信データは送信手段としての送信回路２６に入力され、送信回路２６では送信データを送信フィルタ４１に通して検知部２３と送信回路２６との間での不要な信号の伝達を阻止し、送信データを変調回路に入力して送信データにより搬送波を変調した後、送信アンプ４３で増幅して送信用のアンテナ２５からワイヤレス信号として送信する。変調回路は、ＰＬＬシンセサイザを用いて搬送波を生成する構成であって、水晶発振器４２ａと集積回路からなるＰＬＬ回路４２ｂとループフィルタ４２ｃとＶＣＯ４２ｄとで構成されている。
【００２５】
上述した構成において、変調方式はどのようなものでもよく、図示例ではＦＳＫ変調を想定しているが、ＦＭ変調、ＡＭ変調、ＡＳＫ変調、ＰＭ変調、ＰＳＫ変調などの他の変調方式も採用することが可能である。また、アンテナ１５，２５にはダイポールアンテナ、チップアンテナ、パターンアンテナ、ホイップアンテナ、ループアンテナなど各種のアンテナを用いることができる。
【００２６】
（第１の実施の形態）
本実施形態では、図１に示すように、階段Ｅにおいて階上付近と階下付近とにそれぞれトリガ手段２０（図１４参照）としての人感センサ２１を備えるコントローラ２ａ，２ｂを配置し、各コントローラ２ａ，２ｂにおいて階段Ｅを下りようとする人あるいは上がろうとする人を検知したときに、照明器具１に設けたランプ（図示せず）を点灯させる例を示す。
【００２７】
従来構成において説明したように、２台のコントローラ２ａ，２ｂを設けていると、両コントローラ２ａ，２ｂから送信されるワイヤレス信号が照明装置１において重なり合うことがあり、照明装置１においてワイヤレス信号の内容を復元できないことがある。いま、変調方式としてＦＳＫ変調を採用しているものとし、搬送波の周波数をｆとし、変調による周波数の変化幅を±Δｆとすれば（つまり、２値信号のＨレベルに対して周波数がｆ＋Δｆになり、Ｌレベルの信号に対して周波数がｆ−Δｆになるものとする）、受信回路１６では周波数ｆ＋Δｆと周波数ｆ−Δｆとの信号強度を比較して受信データを復元する。したがって、２台のコントローラ２ａ，２ｂによってＨレベルに対応する周波数ｆ＋ΔｆとＬレベルに対応する周波数ｆ−Δｆとが重なり合って発生したとすると、両者を分離することができなくなり、受信データを復元することはできなくなる。
【００２８】
そこで、本実施形態においては、一方のコントローラ２ａは図２（ａ）のように同内容のワイヤレス信号（図２（ａ）は送信データを示しているがワイヤレス信号に対応する）を３回繰り返して送信し、他方のコントローラ２ｂは図２（ｂ）のようにワイヤレス信号を１回だけ送信するようにしてある。つまり、各コントローラ２ａ，２ｂでは人感センサ２１での人の存在の検知によりトリガが発生して検知部２３に入力されるから、トリガに対するワイヤレス信号の送信回数を各コントローラ２ａ，２ｂで異ならせているのである。ワイヤレス信号は送信データの内容にかかわらず固定長とし、ワイヤレス信号を１回送信する時間を各コントローラ２ａ，２ｂでほぼ等しくしてある。したがって、上述のようにコントローラ２ａから同内容のワイヤレス信号を３回送信すれば、図２（ｃ）のように、そのうち少なくとも１回（図では３回目のワイヤレス信号の内容が正常に復元された例を示している）についてはワイヤレス信号が重なることなく照明器具１に受信されることになる。つまり、図１に示す例で言えば、２台のコントローラ２ａ，２ｂから送信されたワイヤレス信号の一部が重なり合っていても、階上に設置したコントローラ２ａからのワイヤレス信号を１回は照明器具１に受信させることが可能になり、結果的に階上に設置したコントローラ２ａの動作に従ってランプ１０の点灯状態を制御することが可能になる。
【００２９】
本実施形態において、階上に設置したコントローラ２ａによる照明器具１の制御を階下に設置したコントローラ２ｂよりも優先させているのは、一般に、人の視線方向と進行方向との関係によって、階段Ｅを上がるよりも下りるほうが階段Ｅまでの見た目の距離が遠く、しかもランプ１０が点灯しておらず足を踏み外したときに階下よりも危険であるという理由による。つまり、階上に設置したコントローラ２ａからのワイヤレス信号を優先して照明器具１に受信させることによって、階下に設置したコントローラ２ｂからのワイヤレス信号を優先して照明器具１に受信させるよりも安全性を確保しやすく、階段Ｅを安全に下りることが可能になる。
【００３０】
なお、本実施形態においては２台のコントローラ２ａ，２ｂの一方からはワイヤレス信号を３回送信し、他方からはワイヤレス信号を１回だけ送信するようにしているが、ワイヤレス信号の送信回数は実施形態に限定されるものではない。つまり、２台のコントローラ２ａ，２ｂであれば、一方のワイヤレス信号の送信回数が他方の送信回数よりも２回多ければ、送信回数の多いほうの送信データを少なくとも１回は照明器具１に受信させることが可能になる。
【００３１】
（第２の実施の形態）
本実施形態では、図３に示すように、廊下Ｃにおいてトリガ手段２０（図１４参照）としての人感センサ２１を備えるコントローラ２ａを配置するとともに、周囲の明るさを検知する明るさセンサ２２を備えるコントローラ２ｂを別途に配置し、コントローラ２ｂの周囲が暗くかつ人感センサ２１により廊下Ｃを通過する人が検知されると、照明器具１に設けたランプ（図示せず）を点灯させる例を示す。つまり、人感センサ２１で人が検知されても周囲が暗いときにのみ照明器具１のランプを点灯させることによって省エネルギになる。本実施形態では明るさセンサ２２の出力によって周囲が規定の明るさか否か（つまり、明るいか暗いか）の判断はコントローラ２ｃの検知部２３が行うが、この情報はたとえば１分間ごとに周期的にワイヤレス信号によって伝送されるようにしてある。つまり、コントローラ２ｃではトリガ手段２０は検知部２３に内蔵され、トリガ手段２０で発生するトリガによって明るさセンサ２２の出力が取り込まれ、周期的に送信データが生成されることになる。
【００３２】
本実施形態において人感センサ２１と明るさセンサ２２とを各別のコントローラ２ａ，２ｃに設けているのは、人感センサ２１と明るさセンサ２２との出力を組み合わせてランプの点灯状態を制御するにあたり、人感センサ２１を廊下Ｃに設置しながらも、明るさセンサ２２によって室内、窓際、屋外などの他の箇所の明るさを検知可能とするためである。また、人感センサ２１と明るさセンサ２２との出力の組合せの判断を照明器具１において行う場合に、１台のコントローラから人感センサ２１と明るさセンサ２２との両方の出力に対応したワイヤレス信号を送信すると、１台のコントローラにおける送信時の消費電力が大きくなる。コントローラ２ａ，２ｃの電源には電池を用いることがあり、電池を電源に用いるコントローラ２ａ，２ｃでは消費電力が大きくなると電池寿命が短くなる。これに対して、本実施形態では、人感センサ２１を備えるコントローラ２ａと明るさセンサ２２を備えるコントローラ２ｃとを別体に設けているから、各コントローラ２ａ，２ｃでの消費電力は人感センサ２１と明るさセンサ２２とをともに備えるものに比較すると少なくなり、結果的に電池の交換頻度を低減することが可能になる。
【００３３】
しかして、本実施形態に用いる照明器具１では、明るさセンサ２２を備えるコントローラ２ｃからのワイヤレス信号を受信すると、明るさセンサ２２により検知した周囲が明るいか暗いかの情報を記憶する。照明器具１では、周囲が暗いことを記憶している間に、人感センサ２１を備えるコントローラ２ａから規定の範囲内での人の存在を検出したことを通知するワイヤレス信号が伝送されると、照明器具１のランプ（図示せず）を点灯させるのである。
【００３４】
ところで、従来構成において説明したように、２台のコントローラ２ａ，２ｃを設けていると、両コントローラ２ａ，２ｃから送信されるワイヤレス信号が照明装置１において重なり合うことがあり、照明器具１においてワイヤレス信号の内容を復元できないことがある。明るさセンサ２２を備えるコントローラ２ｃでは、１分毎など周期的に送信データを伝送しているから、コントローラ２ａからのワイヤレス信号との衝突によって受信データを復元できない場合があったとしても、そのような状態は一過性であり、照明器具１では数分後には明るさに関する情報を知ることができる。しかしながら、人感センサ２１を備えるコントローラ２ａからの出力は、人の存否が検知されたときにのみ発生するから確実に受信する必要がある。つまり、コントローラ２ａからのワイヤレス信号をコントローラ２ｃからのワイヤレス信号に優先させて照明器具１に受信させる必要がある。
【００３５】
そこで、本実施形態では、照明器具１において受信されるコントローラ２ａからのワイヤレス信号の受信強度がコントローラ２ｃからのワイヤレス信号の受信強度よりも大きくなるように、両コントローラ２ａ、２ｃの送信強度を異ならせてある。なお、両コントローラ２ａ，２ｃから照明器具１までの間のワイヤレス信号の減衰率は同程度とみなす。いま、変調方式としてＦＳＫ変調を採用しているものとする。ここで、図４（ｂ）に示すようにコントローラ２ｃからワイヤレス信号（他の実施形態と同様に、送信データを示している）が送信されている間に、図４（ａ）のようにコントローラ２ａからワイヤレス信号が送出された場合を想定する。照明器具１ではコントローラ２ａからのワイヤレス信号の受信強度をコントローラ２ｃからのワイヤレス信号よりも大きく設定しているから、受信強度の差が十分にあれば、コントローラ２ｃからのワイヤレス信号が存在していたとしても、コントローラ２ａからのワイヤレス信号を受信することが可能になる。つまり、図４（ｃ）に太線で示すように、コントローラ２ａからのワイヤレス信号の内容が復元されることになる。このようにして、人感センサ２１で人の存在が検知されたことを照明器具１に通知することができ、結果的にコントローラ２ａの動作に従ってランプ１０の点灯状態を制御することが可能になる。
【００３６】
ワイヤレス信号の送信強度をコントローラ２ａ，２ｃにおいて調節するための構成例を図５に示す。図５（ａ）に示すものは、送信回路２６に２個の送信アンプ４３ａ，４３ｂを設け、切換スイッチＳＷにより送信アンプ４３ａを１段だけ用いる状態と、２段の送信アンプ４３ａ，４３ｂを用いる状態とを選択可能としたものである。したがって、送信アンプ４３ａ，４３ｂを２段用いるほうがワイヤレス信号の出力を大きくとることができる。つまり、人感センサ２１を備えるコントローラ２ａにおいては２段の送信アンプ４３ａ，４３ｂを用い、明るさセンサ２２を備えるコントローラ２ｃにおいては１段だけ送信アンプ４３ａを用いるようにすればよい。
【００３７】
また、図５（ｂ）に示すように、利得の異なる２個のアンテナ２５ａ，２５ｂを設け、送信アンプ４３に接続するアンテナ２５ａ，２５ｂを切換スイッチＳＷにより選択する構成を採用してもよい。いま、アンテナ２５ａの利得がアンテナ２５ｂの利得よりも大きいとすれば、人感センサ２１を備えるコントローラ２ａでは利得の大きいアンテナ２５ａを選択し、明るさセンサ２２を備えるコントローラ２ｃでは利得の小さいアンテナ２５ｂを選択すればよい。
【００３８】
コントローラ２ａ，２ｃからのワイヤレス信号の送信強度を変化させるには、送信アンプ４３とアンテナ２５とのマッチング量を変化させたり、コントローラ２ａ，２ｃにおいてアンテナ２５を覆う材料としてワイヤレス信号の透過性が異なる材料を用いたり、アンテナ２５として指向性のものを用いるとともに最大放射方向を変化させたりするなど、周知の技術を用いることも可能である。他の構成および動作は第１の実施の形態と同様である。
【００３９】
（第３の実施の形態）
本実施形態は、図６に示すように、明るさセンサ２２を備えるコントローラ２を１台だけ用い、周囲が暗くなると照明器具１のランプを点灯させ、周囲が明るいときに照明器具１のランプを消灯させる例について説明する。この種の照明装置は、周囲の明るさによって照明器具１のランプが自動的に点滅するから、玄関、門、ポーチ、外階段などにおいて用いることができる。この種の用途では、周囲の明るさの変化は１５分間隔程度で検出すればよいから、コントローラ２は明るさセンサ２２の出力に対応するワイヤレス信号を１５分周期で照明器具１に送信するものとする。
【００４０】
ここで、コントローラ２からワイヤレス信号を送信している間に、雷、火花、スイッチの入切などに伴うパルス性のノイズが発生したとすると、コントローラ２からのワイヤレス信号の一部にノイズが混入し、照明器具１では受信データを復元できないことがある。
【００４１】
そこで、本実施形態では、照明器具１のランプの点灯と消灯とを送信データのビット長によって区別し、ビット長が長いほどワイヤレス信号の信号長が長くなる変調方式を採用するとともに、照明器具１においてはワイヤレス信号の信号長に応じてランプの点灯と消灯とを識別する構成を採用している。この種の変調方式としてはＦＳＫ変調を採用することができる。いま、点灯を指示する送信データのビット長を１５０ビットに決め、消灯を指示する送信データのビット長を１００ビットに決めているものとする。
【００４２】
図７はコントローラ２から照明器具１のランプを点灯させる際の動作を示しており、この場合には、図７（ａ）のように送信データが１５０ビットになる。この送信データに従ってワイヤレス信号を送信している間に図７（ｂ）のようにパルス性のノイズが発生したとすると、図７（ｃ）のように照明器具１では送信データの一部が破損した受信データしか復元できないことになる。ただし、本実施形態のワイヤレス信号では点灯か消灯かの区別をするためにビット長に着目すればよいから、受信データの一部が破損していたとしても、照明器具１ではビット長がほぼ１５０ビットであることを知ることは可能である。したがって、受信データの一部を正確に復元することができない場合でもランプを点灯させることが可能になる。
【００４３】
図８はコントローラ２から照明器具１のランプを消灯させる際の動作を示しており、この場合には、図８（ａ）のように送信データが１００ビットになる。この送信データに従ってワイヤレス信号を送信している間に図８（ｂ）のようにパルス性のノイズが発生した場合も、図８（ｃ）のように照明器具１では送信データの一部が破損した受信データしか復元できない。しかしながら、受信データのビット長に着目すれば、受信データの一部が破損していたとしても、照明器具１ではビット長がほぼ１００ビットであることを知ることが可能である。つまり、パルス性のノイズが発生したとしてもランプを消灯させることが可能になる。
【００４４】
上述したように、本実施形態では、コントローラ２からのワイヤレス信号から受信データを正確に復元することができない場合であっても、識別しようとする送信データのビット長に十分に大きな差を設けておけば、照明器具１ではビット長によって指示内容を把握することができ、たとえば、防犯用途でランプを点灯させる場合や、地震のような非常時にランプを点灯させる場合のように、優先度や緊急度の高い状態が生じたときに、それらの状態に対応する指示内容を送信データのビット長によって識別可能としておけば、ワイヤレス信号にパルス性のノイズが混入して受信データを正確に復元できない場合でも、コントローラ２からの指示内容を照明器具１に伝達することが可能になる。つまり、受信データを完全には復元できない場合でもワイヤレス信号に呼応して照明器具１を制御することができるから、たとえば、照明器具１を目的に応じた安全側に動作させるというような最低限の動作は行わせることが可能であって、照明装置のシステムとして安全に動作させることが可能になる。
【００４５】
なお、上述のようにして受信データの一部が破損しているにもかかわらず、ビット長によって指示内容を識別したときに、ただちに指示内容に従う動作を行うのではなく、ランプを点滅させるなどの方法で、受信データが復元できなかった旨を使用者に通知するようにしてもよい。このような通知を行えば、使用者はノイズの有無を知ることができ、ノイズ源を除去するなどの対応が可能になる。さらに、明るさセンサ２２を設けたコントローラ２を例示したが、人感センサやスイッチのような他のトリガ手段を設けてもよいのはもちろんのことであり、また、データのビット長も一例であって限定する趣旨ではない。他の構成および動作は第１の実施の形態と同様である。
【００４６】
（第４の実施の形態）
本実施形態は、基本的な構成は図６に示した第３の実施の形態と同様の構成になる。したがって、以下の説明において構成については図６を参照するものとする。ただし、第３の実施の形態では送信データのビット長によって照明器具１への指示内容を区別可能としていたのに対して、本実施形態では、１回のトリガに対して送信するワイヤレス信号の送信回数によって照明器具１への指示内容を区別可能とするものである。たとえば、点灯を指示する場合には１回のトリガに対して繰り返し送信するワイヤレス信号の送信回数を３回とし、消灯を指示する場合はワイヤレス信号を１回だけ送信するものとする。
【００４７】
図９はコントローラ２から照明器具１のランプを点灯させる際の動作を示しており、この場合には、図９（ａ）のようにワイヤレス信号（図では送信データを示している）の送信回数が３回になっている。ワイヤレス信号を送信している間に図９（ｂ）のようにパルス性のノイズが発生したとする。図示例ではノイズが繰り返し発生しており（モータの回転に伴うノイズや自動車のイグニションノイズなど、繰り返し発生するノイズは広く存在する）、図９（ｃ）のように照明器具１では送信データの一部が破損した受信データしか復元できない。しかしながら、本実施形態ではワイヤレス信号の送信回数に着目すればよいから、受信データの一部が破損していたとしても、照明器具１では規定の時間内（つまり、最初のワイヤレス信号を受信した後にワイヤレス信号を３回受信するのに要する時間）におけるワイヤレス信号の受信回数を計数することによって、受信データの一部を正確に復元することができない場合でもランプを点灯させることが可能になる。
【００４８】
図１０はコントローラ２から照明器具１のランプを消灯させる際の動作を示しており、この場合には、図１０（ａ）のようにワイヤレス信号の送信回数が１回になっている。ワイヤレス信号を送信している間に図１０（ｂ）のようにパルス性のノイズが発生した場合も、図１０（ｃ）のように照明器具１では送信データの一部が破損した受信データしか復元できない。しかしながら、上述した規定の時間内でのワイヤレス信号の受信回数を計数すれば、受信データの一部が破損していたとしても、照明器具１ではワイヤレス信号が規定の時間内に１回だけ受信されたことを知ることが可能である。つまり、パルス性のノイズが発生したとしてもランプを消灯させることが可能になる。
【００４９】
上述したように、本実施形態では、コントローラ２からのワイヤレス信号から受信データを正確に復元することができない場合であっても、ワイヤレス信号の受信回数によってコントローラ２からの指示内容を把握することができ、たとえば、防犯用途でランプを点灯させる場合や、地震のような非常時にランプを点灯させる場合のように、優先度や緊急度の高い状態が生じたときに、それらの状態に対応する指示内容をワイヤレス信号の送信回数で識別可能としておけば、ワイヤレス信号にパルス性のノイズが混入して受信データを正確に復元できない場合でも、コントローラ２からの指示内容を照明器具１に伝達することが可能になる。つまり、受信データを完全には復元できない場合でもワイヤレス信号に呼応して照明器具１を制御することができるから、たとえば、照明器具１を目的に応じた安全側に動作させるというような最低限の動作は行わせることが可能であって、照明装置のシステムとして安全に動作させることが可能になる。
【００５０】
なお、上述のようにして受信データの一部が破損しているにもかかわらず、ワイヤレス信号の受信回数によって指示内容を識別したときに、ただちに指示内容に従う動作を行うのではなく、ランプを点滅させるなどの方法で、受信データが復元できなかった旨を使用者に通知するようにしてもよい。このような通知を行えば、使用者はノイズの有無を知ることができ、ノイズ源を除去するなどの対応が可能になる。さらに、明るさセンサ２２を設けたコントローラ２を例示したが、人感センサやスイッチのような他のトリガ手段を設けてもよいのはもちろんのことであり、また、本実施形態の構成では、複数個のコントローラ２を設けられている場合に、各コントローラ２からのワイヤレス信号が衝突したときに、ランプの点灯を優先するように照明器具１を構成しておくことが可能である。上述の実施形態において、ワイヤレス信号の送信回数は一例であって限定する趣旨ではない。他の構成および動作は第３の実施の形態と同様である。
【００５１】
ところで、第３の実施の形態では受信データのビット長によって照明器具１への指示を推測し、第４の実施の形態ではワイヤレス信号の受信回数によって照明器具１への指示を推測しているが、ワイヤレス信号を複数回繰り返して送信するとともに、指示内容に応じてワイヤレス信号の送信間隔を異ならせるようにしてもよく、この場合には照明器具１ではワイヤレス信号を受信した時間間隔によって指示を推測することになる。受信データのビット長、ワイヤレス信号の受信回数、ワイヤレス信号を受信した時間間隔は適宜に組み合わせて用いることも可能であり、一般的に言えば、用いる情報の種類が多いほど正確な推測が可能になる。
【００５２】
（第５の実施の形態）
本実施形態は、基本的な構成は図３に示した第２の実施の形態と同様の構成になる。したがって、以下の説明において構成については図３を参照するものとする。ただし、第２の実施の形態では、各コントローラ２ａ，２ｃについて、ワイヤレス信号の送信強度に差を持たせるのみであったのに対して、本実施形態では、ワイヤレス信号の送信強度に加えて、第１の実施の形態と同様に、ワイヤレス信号の送信回数についてもコントローラ２ａ，２ｃごとに差を持たせている。
【００５３】
本実施形態では、図１１（ａ）のようにワイヤレス信号の送信強度が大きいほう（太線は送信強度が大きいことを意味している）のコントローラ２ａについては１回のトリガに対して送信するワイヤレス信号の送信回数を１回とし、図１１（ｂ）のようにワイヤレス信号の送信強度が小さいほうのコントローラ２ｃについては１回のトリガに対して送信するワイヤレス信号の送信回数を３回としてある。要するに、ワイヤレス信号に衝突が生じるときに優先して照明器具１に受信させようとする送信データを送信するコントローラ２ａについては送信強度を大きくする代わりに送信回数を少なくし、優先度の低い他方のコントローラ２ｃについては送信強度を小さくする代わりに送信回数を多くすることによって、コントローラ２ａからの送信が終了した後に照明器具１にワイヤレス信号を受信させようとしているのである。
【００５４】
上述の動作によって、第１の実施の形態と第２の実施の形態との動作を組み合わせた形になり、図１１（ｃ）のように、照明器具１においては、コントローラ２ａ，２ｃからのワイヤレス信号が衝突するときには送信強度の大きいコントローラ２ａからのワイヤレス信号による受信データが復元され、コントローラ２ａからのワイヤレス信号が停止した後にもコントローラ２ｃからのワイヤレス信号は送信されているから、このワイヤレス信号はコントローラ２ａからのワイヤレス信号と衝突することなく受信データが復元されることになる。ここにおいて、コントローラ２ｃがワイヤレス信号を３回送信するのに要する時間をＴとするときに、送信強度の大きいワイヤレス信号を送信するコントローラ２ａにおいて、ワイヤレス信号を１回送信した後のＴ／２の間には次のワイヤレス信号を送信しないように設定しておけば、コントローラ２ａから２回目のワイヤレス信号が発生しても、２回目のワイヤレス信号がコントローラ２ｂからのワイヤレス信号と衝突するのを防止できる。
【００５５】
以上説明したように、本実施形態の構成では、２台のコントローラ２ａ，２ｃからのワイヤレス信号が衝突する場合であっても、両コントローラ２ａ，２ｂからのワイヤレス信号の内容をともに照明器具１に受信させることが可能なる。他の構成および動作は第２の実施の形態と同様である。
【００５６】
（第６の実施の形態）
本実施形態は、第１の実施の形態と第２の実施の形態との技術を併用することによって、複数種類のワイヤレス信号に優先順位を設定するものである。この技術の使用例として、図１２に３台のコントローラ２を用いた場合を示す。各コントローラ２は、それぞれ人感センサ２１と明るさセンサ２２と手操作するスイッチ２４とをトリガ手段２０（図１４参照）として備える。コントローラ２は複数の照明器具１を制御可能であるものとし、複数台のコントローラ２を用いて住宅内のすべての照明器具１を制御することができるものとする。さらに、各コントローラ２は、人感センサ２１により検知される人の存否と、明るさセンサ２２により検知される明るさと、スイッチ２４の操作との情報を送信データとして照明器具１に伝送し、さらに照明器具１からは負荷であるランプの点灯状態がコントローラ２に返送されるものとする。照明器具１からコントローラ２に返送されたワイヤレス信号は、コントローラ２に設けた表示灯のような負荷の点滅に用いられる。つまり、上述した実施形態では、照明器具１において受信手段のみを設けていたのに対して、本実施形態では照明器具１においてもコントローラ２と同様の送信手段を設け、逆にコントローラ２においては送信手段だけではなく照明器具１と同様の受信手段を持たせている。ただし、図１２においてはコントローラ２の受信手段の構成については図示していない。
【００５７】
上述のような４種類の情報の優先順位について検討すると、人感センサ２１により人が検知されたときには照明器具１にランプの点灯を指示する必要があるから、人感センサ２１の出力に対応する送信データは優先順位がもっとも高いと言える。一方、明るさセンサ２２により得られる周囲の明るさの情報は一般に日光の光量に関する情報であって急激な変化はなく、しかも上述した各実施形態と同様に周期的に送信するように設定することができるから、送信データの伝送を失敗することがあっても、後には必要な情報がほぼ確実に伝送されるから優先順位は低くてもよい。さらに、照明器具１からランプの点灯状態を返送することについては、即時性が要求されておらず、しかもこの情報は必須というわけではないから、人感センサ２１により検知される人の存否の情報よりも優先順位を下げてある。ただし、この情報は再送されないから、他の情報よりは優先順位を高くしておくことが望ましい。また、スイッチ２４の操作の情報については、即時性が要求されるものの、送信データの伝送に失敗しても人がスイッチ２４をもう一度操作すればよいから、照明器具１からのランプの点灯状態の返送よりも低くしてある。ただし、明るさセンサ２２により検知される明るさの情報は自動的に送信されるのに対して、スイッチ２４の操作は手動になるから、明るさセンサ２２により検知される明るさの情報よりは優先順位を高くしてある。
【００５８】
要するに、人感センサ２１による人の検知の情報、照明器具１からのランプの点灯状態の情報、スイッチ２４の操作の情報、明るさセンサ２２により検知される明るさの情報の順に優先順位を設定しているのである。
【００５９】
しかして、ワイヤレス信号の衝突時の優先順位を４段階に設定するために、本実施形態では、ワイヤレス信号の送信強度と、コントローラ２が送信するワイヤレス信号の送信回数との組合せを用いている。つまり、ワイヤレス信号の送信回数については３回と１回との２種類を用いており、第１の実施の形態において説明したように、ワイヤレス信号を３回送信することによって１回だけ送信する場合よりも照明器具１で受信データを復元できる可能性が高くなる。また、送信強度についても大小２段階に設定してあり、第２の実施の形態において説明したように、ワイヤレス信号の送信強度の大きいほうが小さいほうよりも照明器具１で受信データを復元できる可能性が高くなる。したがって、（送信強度，送信回数）の組について照明器具１において受信データを復元できる可能性が高い順を示すと、（大，３回）、（大，１回）、（小，３回）、（小，１回）になる。すなわち、人感センサ２１による人の検知の情報は（大，３回）、照明器具１からのランプの点灯状態の情報は（大，１回）、スイッチ２４の操作の情報は（小，３回）、明るさセンサ２２により検知される明るさの情報は（小，１回）に対応付けているのである。
【００６０】
上述のようにして、ワイヤレス信号に衝突が生じたときにも優先順位の高い順に照明器具１に伝送することが可能になる。なお、上述の例では優先順位を４段階に設定しているが、送信強度と送信回数とを２段階ずつではなく適宜に設定することによって、優先順位の段数を変更することが可能である。たとえば、送信強度を大、中、小の３段階とし、送信回数を５回、３回、１回の３段階とすれば、９種類の情報に優先順位を設定して伝送することが可能になる。
【００６１】
【発明の効果】
請求項１の発明は、ランプを負荷として備える照明器具と、照明器具とは別体であってランプの点灯状態をワイヤレス信号によって指示するコントローラとを備える照明装置であって、少なくともコントローラに設けられ送信データを含むワイヤレス信号を伝送する送信手段と、少なくとも照明器具に設けられ送信手段からのワイヤレス信号を受信して送信データの内容に相当する受信データを復元し受信データの内容に応じて負荷を制御する受信手段とを備え、送信手段では、受信手段において異なる情報を含む複数のワイヤレス信号の少なくとも一部が重なり合っていてもいずれか１つのワイヤレス信号から受信データが復元可能となるようにワイヤレス信号の信号形態の種類が設定され、この信号形態は複数種類の異なる信号形態からワイヤレス信号の情報の内容に対応付けて選択されるものであり、情報の内容に応じてワイヤレス信号の信号形態を異ならせていることにより、受信手段において複数のワイヤレス信号の少なくとも一部が重なり合って受信されたとしても、いずれか１つのワイヤレス信号については送信データによる指示内容を判断できる可能性が高くなり、送信データにより指示された内容で負荷を制御することが可能になる。
【００６２】
請求項２の発明は、請求項１の発明において、前記ワイヤレス信号を固定長とし、ワイヤレス信号の信号形態の種類を同内容のワイヤレス信号の送信回数とし、前記受信データを復元させる優先度の高い情報ほど送信回数を多く設定するものであり、送信手段においてワイヤレス信号の送信回数を異ならせるだけで、優先順位の高い情報を受信手段に確実に伝送することができる。
【００６３】
請求項３の発明は、請求項１の発明において、前記ワイヤレス信号の信号形態の種類をワイヤレス信号の送信強度とし、前記受信データを復元させる優先度の高い情報ほど送信強度を大きく設定するものであり、送信手段においてワイヤレス信号の送信強度を異ならせるだけで、優先順位の高い情報を受信手段に確実に伝送することができる。
【００６４】
請求項４の発明は、請求項１の発明において、前記ワイヤレス信号の信号形態の種類をワイヤレス信号の信号長とし、前記受信手段ではワイヤレス信号の信号長を判別することにより送信データの内容を推定するものであり、ワイヤレス信号の信号長を送信データの内容に応じて異ならせるから、ワイヤレス信号の内容を判別できない場合であっても信号長によって送信データによる指示内容を受信データとして復元できる可能性が高くなる。とくに、この構成を採用することによって、一過性のノイズが発生する場合のように、ワイヤレス信号の一部のみが破損するような環境で使用する場合におけるワイヤレス信号の伝送の信頼性を高めることができる。
【００６５】
請求項５の発明は、請求項１の発明において、前記ワイヤレス信号の信号形態の種類を同内容のワイヤレス信号の送信回数とし、前記受信手段では規定の時間内におけるワイヤレス信号の受信回数を判別することにより送信データの内容を推定するものであり、ワイヤレス信号の送信回数を送信データの内容に応じて異ならせておき、受信手段では規定の時間内での受信回数を判別するから、ワイヤレス信号の内容を判別できない場合であっても受信回数によって送信データにより指示内容を受信データとして復元できる可能性が高くなる。とくに、この構成を採用することによって、一過性のノイズが周期的に発生する場合のように、ワイヤレス信号の一部のみが破損するような環境で使用する場合におけるワイヤレス信号の伝送の信頼性を高めることができる。
【００６６】
請求項６の発明は、請求項１の発明において、前記ワイヤレス信号の信号形態の種類を同内容のワイヤレス信号の送信回数とワイヤレス信号の送信強度との組合せとし、前記受信データを復元させる優先度の高い情報ほど送信強度を大きく設定するとともに送信回数を多く設定するものであり、ワイヤレス信号の送信強度と送信回数との組合せによって、優先度を３段階以上に設定することが可能になる。すなわち、３種類以上の異なる種類の送信データを含むワイヤレス信号の一部が重複して受信手段に受信されたとしても１種類の送信データについては受信データとして復元される可能性が高くなる。
【００６７】
請求項７の発明は、請求項１ないし請求項６の発明において、前記コントローラに、規定した範囲内での人の存否を検出する人感センサを設け、人感センサによる人の検知を送信データとしてコントローラから前記ワイヤレス信号を送信するものであり、人の検知の有無に応じたランプの点灯状態の制御が可能になる。
【００６８】
請求項８の発明は、請求項１ないし請求項６の発明において、前記コントローラに、周囲の明るさを検出する明るさセンサを設け、明るさセンサにより検知される明るさの情報を送信データとしてコントローラから前記ワイヤレス信号を送信するものであり、周囲の明るさに応じたランプの点灯状態の制御が可能になる。
【００６９】
請求項９の発明は、請求項１ないし請求項６の発明において、前記コントローラに、規定した範囲内での人の存否を検出する人感センサと周囲の明るさを検出する明るさセンサとを設け、人感センサによる人の検知と明るさセンサにより検知される明るさの情報とを送信データとしてコントローラから前記ワイヤレス信号を送信するものであり、人の検知の有無と周囲の明るさとを適宜に組み合わせてランプの点灯状態を制御することが可能になる。
【図面の簡単な説明】
【図１】本発明の第１の実施の形態を示すブロック図である。
【図２】同上の動作説明図である。
【図３】本発明の第２の実施の形態を示すブロック図である。
【図４】同上の動作説明図である。
【図５】（ａ）（ｂ）はそれぞれ同上に用いるコントローラの構成例を示す要部ブロック図である。
【図６】本発明の第３の実施の形態を示すブロック図である。
【図７】同上の動作説明図である。
【図８】同上の動作説明図である。
【図９】本発明の第４の実施の形態の動作説明図である。
【図１０】同上の動作説明図である。
【図１１】本発明の第５の実施の形態を示す動作説明図である。
【図１２】本発明の第６の実施の形態を示すブロック図である。
【図１３】同上の動作説明図である。
【図１４】本発明に用いるコントローラの基本的な構成を示すブロック図である。
【図１５】本発明に用いる照明器具の基本的な構成を示すブロック図である。
【図１６】従来構成を示すブロック図である。
【図１７】他の従来構成を示すブロック図である。
【図１８】同上の使用例を示すブロック図である。
【図１９】同上の動作説明図である。
【符号の説明】
１  照明器具
２，２ａ，２ｂ，２ｃ  コントローラ
１０  ランプ
１６  受信回路
２１  人感センサ
２２  明るさセンサ
２６  送信回路
【図１】
0004003466.tif 000002
【図２】
0004003466.tif 000003
【図３】
0004003466.tif 000004
【図４】
0004003466.tif 000005
【図５】
0004003466.tif 000006
【図６】
0004003466.tif 000007
【図７】
0004003466.tif 000008
【図８】
0004003466.tif 000009
【図９】
0004003466.tif 000010
【図１０】
0004003466.tif 000011
【図１１】
0004003466.tif 000012
【図１２】
0004003466.tif 000013
【図１３】
0004003466.tif 000014
【図１４】
0004003466.tif 000015
【図１５】
0004003466.tif 000016
【図１６】
0004003466.tif 000017
【図１７】
0004003466.tif 000018
【図１８】
0004003466.tif 000019
【図１９】
0004003466.tif 000020